(57)【特許請求の範囲】
【請求項１】
ランプと；
平常時に商用交流電源により充電されて停電時に前記ランプに対して通電する蓄電池と；
前記ランプへの通電を、平常時に前記商用交流電源から行い停電時に前記蓄電池から行うように切り替える停電切替部と；
前記商用交流電源から前記ランプへの通電時と前記蓄電池から前記ランプへの通電時とで前記ランプの点灯状態を切り替える点灯回路部と；
前記ランプの点灯状態を監視する点灯状態監視部と；
外部に設けられた集中管理装置から送信された検査用制御信号に基づいて前記停電切替部を切替制御する切替制御手段と；
前記点灯状態監視部で監視された点灯状態が前記切替制御手段により制御された切り替え状態と一致しているか否かを判断する点灯状態判断手段と；
前記集中管理装置との間で、前記検査用制御信号と前記点灯状態判断手段による判断結果の信号とを送受信する信号送受信部と；
を具備していることを特徴とする防災用照明灯。
【請求項２】
ランプと；
平常時に商用交流電源により充電されて停電時に前記ランプに対して通電する蓄電池と；
前記ランプへの通電を、平常時に前記商用交流電源から行い停電時に前記蓄電池から行うように切り替える停電切替部と；
前記商用交流電源から前記ランプへの通電時と前記蓄電池から前記ランプへの通電時とで前記ランプの点灯状態を切り替える点灯回路部と；
前記蓄電池から前記ランプへの通電時に前記蓄電池の電圧を監視する蓄電池電圧監視部と；
前記ランプの点灯状態を監視する点灯状態監視部と；
前記蓄電池電圧監視部で監視された電圧が所定値以上であるか否かを判断する蓄電池電圧判断手段と；
外部に設けられた集中管理装置から送信された検査用制御信号に基づいて前記停電切替部を切替制御する切替制御手段と；
前記点灯状態監視部で監視された点灯状態が前記切替制御手段により制御された切り替え状態と一致しているか否かを判断する点灯状態判断手段と；
前記集中管理装置との間で、前記検査用制御信号と前記蓄電池電圧判断手段による判断結果の信号と前記点灯状態判断手段による判断結果の信号とを送受信する信号送受信部と；
を具備していることを特徴とする防災用照明灯。
【請求項３】
請求項１又は２記載の防災用照明灯と；
複数の前記防災用照明灯が接続され、前記防災用照明灯へ前記停電切替部を切り替える検査用制御信号を送信し、及び、前記防災用照明灯からの蓄電池電圧判断手段による判断結果又は前記点灯状態判断手段による判断結果の信号を受信し、受信した信号の結果を表示する表示部を備えた集中管理装置と；
を具備する防災用照明システム。
【発明の詳細な説明】
【０００１】
【発明の属する技術分野】
本発明は、誘導灯、非常灯などの防災用照明灯及び防災用照明システムに関する。
【０００２】
【従来の技術】
誘導灯や非常灯などの防災用照明灯は、ランプ、蓄電池、蓄電池電圧監視部、充電回路部、充電モニター（ＬＥＤ）、通電回路部、切替スイッチ等から構成されている。
【０００３】
このような防災用照明灯は、平常時には、商用交流電源からランプへ通電されるように通電回路部が切り替えられており、商用交流電源からの通電によりランプが点灯される。また、この平常時には、商用交流電源からの通電により充電回路部を介して蓄電池の充電が行われている。
【０００４】
商用交流電源からの通電が遮断された停電時には、通電回路部が自動的に切り替えられ、蓄電池からの通電によりランプが点灯される。
【０００５】
ここで、蓄電池には、「ランプを継続して２０分以上点灯させることができること」という規格が定められている。このため、蓄電池がこの規格を満たしているか否かを定期的に検査する必要があり、この検査は、各防災用照明灯に設けられている切替スイッチを切替操作することにより行われる。具体的には、切替スイッチを切替操作することにより通電回路部を停電時と同じ状態に切り替え、ランプに対して蓄電池からの通電する。なお、この検査時における蓄電池からの通電によるランプの点灯は２０分間継続され、２０分経過後に通電回路部が自動的に平常時の点灯状態に切り替えられ、ランプの点灯が商用交流電源からの通電による行われる状態に戻るとともに、蓄電池の充電が再開される。
【０００６】
ここで、蓄電池からの通電によるランプの点灯時には、蓄電池の電圧が蓄電池電圧監視部により監視されており、蓄電池の電圧が所定値以下に低下したことが検知された場合には、商用交流電源からの通電状態に復帰したときに充電モニターが点滅し、蓄電池が交換する時期になっていることを知らせる。
【０００７】
したがって、切替スイッチを切替操作することにより蓄電池の検査を行い、その検査後に充電モニターが点滅しているか否かを確認することにより、蓄電池が交替する時期になっていることを知ることができる。
【０００８】
【発明が解決しようとする課題】
しかし、１つの建物の中には多数の防災用照明灯が設けられており、それらの防災用照明灯の全てを回って切替スイッチの切替操作を行い、その後再び全ての防災用照明灯を見回って充電モニターが点滅しているか否かを確認することは、非常に手間がかかっている。
【０００９】
本発明の目的は、防災用照明灯に設けられている蓄電池が交替する時期になったか否かを、その防災用照明灯の設置場所まででかけていかなくても検査できる防災用照明灯を提供することである。
【００１０】
本発明の別の目的は、ランプへの通電を商用交流電源と蓄電池とから切り替える部分が正常に機能しているか否かを、その防災用照明灯の設置場所まででかけていかなくても検査できる防災用照明灯を提供することである。
【００１１】
本発明の別の目的は、防災用照明灯に設けられている蓄電池が交替する時期になったか否か、さらには、ランプへの通電を商用交流電源と蓄電池とから切り替える部分が正常に機能しているか否かを、その防災用照明灯の設置場所まででかけていかなくても検査できる防災用照明システムを提供することである。
【００１２】
【課題を解決するための手段】
【００１５】
請求項１記載の発明の防災用照明灯は、ランプと；平常時に商用交流電源により充電されて停電時に前記ランプに対して通電する蓄電池と；前記ランプへの通電を、平常時に前記商用交流電源から行い停電時に前記蓄電池から行うように切り替える停電切替部と；前記商用交流電源から前記ランプへの通電時と前記蓄電池から前記ランプへの通電時とで前記ランプの点灯状態を切り替える点灯回路部と；前記ランプの点灯状態を監視する点灯状態監視部と；外部に設けられた集中管理装置から送信された検査用制御信号に基づいて前記停電切替部を切替制御する切替制御手段と；前記点灯状態監視部で監視された点灯状態が前記切替制御手段により制御された切り替え状態と一致しているか否かを判断する点灯状態判断手段と；前記集中管理装置との間で、前記検査用制御信号と前記点灯状態判断手段による判断結果の信号とを送受信する信号送受信部と；を具備している。
【００１６】
したがって、この防災用照明灯では、平常時と停電時とにおいて停電切替部が切り替えられ、平常時には商用交流電源からの通電によりランプが点灯され、停電時には蓄電池からの通電によりランプが点灯される。また、平常時と停電時とにおいて点灯回路部が切り替えられることによりランプの点灯状態が切り替えられ、このランプの点灯状態が点灯状態監視部により監視される。
【００１７】
この防災用照明灯は外部に設けられた集中管理装置に接続されており、集中管理装置から検査用制御信号が信号送受信部を介して送信されることにより、停電切替部が切替制御手段により、まず停電時と同じ状態に切り替えられ、所定時間経過後に平常時と同じ状態に切り替えられる。そして、点灯状態監視部で監視しているランプの点灯状態と、切替制御手段により制御された切り替え状態とが一致しているか否かが点灯状態判断手段により判断され、その判断結果が信号送受信部を介して集中管理装置へ送信される。集中管理装置において送信された判断結果を見ることにより、ランプの点灯状態の切り替えが正常に行われているか否かを確認することができる。
【００１８】
請求項２記載の発明の防災用照明灯は、ランプと；平常時に商用交流電源により充電されて停電時に前記ランプに対して通電する蓄電池と；前記ランプへの通電を、平常時に前記商用交流電源から行い停電時に前記蓄電池から行うように切り替える停電切替部と；前記商用交流電源から前記ランプへの通電時と前記蓄電池から前記ランプへの通電時とで前記ランプの点灯状態を切り替える点灯回路部と；前記蓄電池から前記ランプへの通電時に前記蓄電池の電圧を監視する蓄電池電圧監視部と；前記ランプの点灯状態を監視する点灯状態監視部と；前記蓄電池電圧監視部で監視された電圧が所定値以上であるか否かを判断する蓄電池電圧判断手段と；外部に設けられた集中管理装置から送信された検査用制御信号に基づいて前記停電切替部を切替制御する切替制御手段と；前記点灯状態監視部で監視された点灯状態が前記切替制御手段により制御された切り替え状態と一致しているか否かを判断する点灯状態判断手段と；前記集中管理装置との間で、前記検査用制御信号と前記蓄電池電圧判断手段による判断結果の信号と前記点灯状態判断手段による判断結果の信号とを送受信する信号送受信部と；を具備している。
【００１９】
したがって、この防災用照明灯では、平常時と停電時とにおいて停電切替部が切り替えられ、平常時には商用交流電源からの通電によりランプが点灯され、停電時には蓄電池からの通電によりランプが点灯される。また、平常時には商用交流電源により蓄電池の充電が行われる。さらに、蓄電池からの通電によるランプの点灯時には、蓄電池の電圧が蓄電池電圧監視部により監視される。また、平常時と停電時とにおいて点灯回路部が切り替えられることによりランプの点灯状態が切り替えられ、このランプの点灯状態が点灯状態監視部により監視される。
【００２０】
この防災用照明灯は外部に設けられた集中管理装置に接続されており、集中管理装置から検査用制御信号が信号送受信部を介して送信されることにより、停電切替部が切替制御手段より、まず停電時と同じ状態に切り替えられ、所定時間経過後に平常時と同じ状態に切り替えられる。そして、停電時と同じ状態に切り替えられて蓄電池からの通電によりランプが点灯されたときには、蓄電池の電圧が蓄電池電圧監視部により監視され、監視された電圧が所定値以上であるか否かが蓄電池電圧判断手段により判断され、その判断結果が信号送受信部を介して集中管理装置へ送信される。また、点灯状態監視部で監視しているランプの点灯状態と、切替制御手段により制御された切り替え状態とが一致しているか否かが点灯状態判断手段により判断され、その判断結果が信号送受信部を介して集中管理装置へ送信される。集中管理装置において送信された判断結果を見ることにより、蓄電池を交替する時期がきたか否かの確認、及び、ランプの点灯状態の切り替えが正常に行われているか否かの確認を行うことができる。
【００２３】
請求項３記載の発明の防災用照明システムは、請求項１又は２記載の防災用照明灯と；複数の前記防災用照明灯が接続され、前記防災用照明灯へ前記停電切替部を切り替える検査用制御信号を送信し、及び、前記防災用照明灯からの蓄電池電圧判断手段による判断結果又は前記点灯状態判断手段による判断結果の信号を受信し、受信した信号の結果を表示する表示部を備えた集中管理装置と；を具備する。
【００２４】
したがって、この防災用照明システムは請求項１又は２記載の防災用照明灯を備えているので、請求項１又は２のいずれかで説明したものと同じ作用、効果を奏することができる。
【００２５】
【発明の実施の形態】
本発明の一実施の形態を図面に基づいて説明する。図１は防災用照明システムの構成を示すブロック図、図２は防災用照明灯の構成を示すブロック図、図３は防災用照明灯の検査時の制御内容を示すフローチャートである。
【００２６】
本実施の形態の防災用照明システムは、防災用照明灯である多数の誘導灯１と、これらの誘導灯１が接続された集中管理装置２とから構成されている。集中管理装置２には、誘導灯１との間で信号を送受信するための各種の操作が可能な操作パネル３、各誘導灯１から受信した信号の内容が表示される表示部４を備えている。
【００２７】
誘導灯１は図２に示すように、制御プログラムが格納されたマイコン等から構成されて誘導灯１の各部の制御を行う制御部６、ランプ７、蓄電池８、メモリ９、タイマー１０、停電切替部１１、蓄電池電圧監視部１２、点灯回路部１３、点灯状態監視部１４、信号送受信部１５、電源回路部１６、停電検知部１７、充電回路部１８、これらの各部の全体を覆う透光性カバー（図示せず）等により構成されている。また、この誘導灯１は、商用交流電源１９に接続されている。
【００２８】
電源回路部１６は、商用交流電源１９から供給される電流、電圧を、誘導灯１で使用するのに適した状態に変換する。充電回路部１８は、電流回路部１６で変換された電流、電圧の一部を、さらに、蓄電池８の充電用に適した状態に変換する。停電検知部１７は、商用交流電源１９からの電流供給が有るか否か、即ち、その時の状態が平常時であるか停電時であるかを検知する。
【００２９】
停電切替部１１は、平常時にはランプ７や制御部６等への通電を商用交流電源１９から行うように切り替え、停電時にはランプ７や制御部６等への通電を蓄電池８から行うように切り替える。
【００３０】
蓄電池電圧監視部１２は、蓄電池８からの通電時において、蓄電池８の電圧を監視する。監視された電圧値は、制御部６へ送られる。
【００３１】
点灯回路部１３は、商用交流電源１９からの通電時と、蓄電池８からの通電時とにおいて、その通電状態を変えることによりランプ７の点灯状態を切り替える。具体的には、商用交流電１９からの通電時にはフラットな電流をランプ７に通電し、蓄電池８からの通電時にはパルス状の電流をランプ７に通電する。これにより、ランプ７の点灯状態は、停電時には平常時よりも暗くなる。
【００３２】
点灯状態監視部１４は、ランプ７の点灯状態が、平常時の点灯状態であるか停電時の点灯状態であるかを、通電される電流波形に基づいて監視する。その監視結果は制御部６へ送られる。
【００３３】
メモリ９は、蓄電池電圧監視部１２で監視された電圧値や、点灯状態監視部１４で監視された点灯状態などが格納される。
【００３４】
タイマー１０は、一般的な時計としての機能、及び、定められた時間を測定するための機能を有する。
【００３５】
信号送受信部１５は、誘導灯１の制御部６と集中管理装置２の制御部との間で各種信号の送受信を行う。
【００３６】
制御部６には、ＣＰＵが制御プログラムに従って行う機能として、蓄電池電圧判断手段、切替制御手段、点灯状態判断手段、時刻判断手段が設けられている。
【００３７】
蓄電池電圧判断手段は、蓄電池電圧監視部１２で監視された蓄電池８の電圧が所定値以上であるか否かを判断する機能である。
【００３８】
切替制御手段は、予め設定された時刻になったとき、又は、集中管理装置２から検査用制御信号が送信されたときに、停電切替部１１を停電時と同じ状態に切り替え、及び、所定時間経過後に平常時と同じ状態に切り替える機能である。
【００３９】
点灯状態判断手段は、点灯状態監視部１４で監視された点灯状態が切替制御手段により制御される切り替え状態と一致しているか否かを判断する機能である。
【００４０】
時刻判断手段は、予め設定してある検査開始の時刻（日時）になったか否かを判断する機能である。
【００４１】
つぎに、防災用照明灯１の検査時の制御内容を図３のフローチャートに基づいて説明する。まず、予め設定された時刻（日時）になったか否の判断（ステップＳ１）と、集中管理装置２から検査用制御信号を受信したか否かの判断（ステップＳ２）とが行われる。ステップＳ１では、制御部６の機能の一つである時刻判断手段が実行される。予め設定された時刻としては、例えば、毎週日曜日の１２時等である。
【００４２】
ステップＳ１において、予め設定された時刻になったと判断された場合（ステップＳ１のＹ）、又は、検査用制御信号を受信した場合（ステップＳ２のＹ）には、停電切替部１１が停電時と同じ状態に切り替えられ（ステップＳ３）、ここに、制御部６の機能の一つである切替制御手段が実行される。停電切替部１１が切り替えられた後、タイマー１０がスタートされる（ステップＳ４）。
【００４３】
停電切替部１１が停電時と同じ状態に切り替えることにより、ランプ７へはパルス状の電流が供給されることになり、供給される電流の波形が点灯状態監視部１４で監視される。そして、その監視結果と切替制御手段により制御された切替状態が一致しているか否か、即ち、点灯状態が平常時点灯から停電時点灯へ切り替わっているか否かが判断され（ステップＳ５）、ここに、制御部６の機能の一つである点灯状態判断手段が実行される。
【００４４】
点灯状態が停電時点灯へ切り替わっていない場合には（ステップＳ５のＮ）、停電切替部１１や点灯回路部１３等に異常が発生していることを意味し、その場合には、ステップＳ５での判断結果がメモリ９に格納され（ステップＳ６）、スタートさせたタイマー１０がクリアされ（ステップＳ７）、切替制御手段の実行により停電切替部１１が平常時状態に復帰され（ステップＳ８）、メモリ９に格納された内容が集中管理装置２へ送信される（ステップＳ９）。
【００４５】
ステップＳ５において、点灯状態が停電時点灯へ切り替わっていると判断された場合には（ステップＳ５のＹ）、切替結果と点灯状態とがメモリ９へ格納される（ステップＳ１０）。
【００４６】
停電時点灯時には、ランプ７や制御部６への通電は蓄電池８から行われ、このときの蓄電池８の電圧が蓄電池電圧監視部１２において監視される（ステップＳ１１）。そして、蓄電池電圧監視部１２で監視された電圧が所定値以上であるか否かが所定時間のサイクルで判断され（ステップＳ１２）、ここに、制御部６の機能の一つである蓄電池電圧判断手段が実行される。蓄電池８の電圧が所定値以上である場合には（ステップＳ１２のＹ）、その電圧値がメモリ９に格納され（ステップＳ１３）、所定時間（停電時状態検査時間；２０分）が経過したか否かが判断される（ステップＳ１４）。ステップＳ１１〜ステップＳ１４の処理は、所定時間が経過するまで繰り返される。
【００４７】
ステップＳ１１〜ステップＳ１４の処理が繰り返されている途中において、蓄電池８の電圧が所定値以下に低下したと判断された場合には（ステップＳ１２のＮ）、蓄電池８を交換する時期になっていることを意味し、その場合には、ステップＳ１２での判断結果がメモリ９に格納され（ステップＳ６）、スタートさせたタイマー１０がクリアされ（ステップＳ７）、切替制御手段の実行により停電切替部１１が平常時状態に復帰され（ステップＳ８）、メモリ９に格納した内容が集中管理装置２へ送信される（ステップＳ９）。
【００４８】
ステップＳ１１〜ステップＳ１４の処理を繰り返している間において、蓄電池８の電圧が所定値以下に低下することなく所定時間が経過した場合には（ステップＳ１４のＹ）、タイマー１０がクリアされ（ステップＳ１５）、切替制御手段の実行により停電切替部１１が平常時状態に復帰される（ステップＳ１６）。ステップＳ１６での平常時状態への復帰により、ランプ７へはフラットな電流が供給されることになり、供給される電流の波形が点灯状態監視部１４で監視される。そして、その監視結果と切替制御手段により制御された切替状態が一致しているか否か、即ち、点灯状態が停電時点灯から平常時点灯へ切り替わっているか否かが判断され（ステップＳ１７）、ここに、制御部６の機能の一つである点灯状態判断手段が実行される。
【００４９】
ステップＳ１７において、平常時点灯へ復帰したと判断された場合には（ステップＳ１７のＹ）、その復帰結果がメモリ９に格納され（ステップＳ１８）、メモリ９に格納されている内容（ステップＳ１８で格納された復帰が正常である旨の内容、ステップＳ１３で格納された蓄電池電圧）が集中管理装置２へ送信される（ステップＳ９）。
【００５０】
一方、ステップＳ１７において、平常時点灯へ復帰していないと判断された場合には（ステップＳ１７のＮ）、蓄電池８は交換時期になっていないが、停電切替部１１や点灯回路部１３等に異常が発生していることを意味し、その場合には、ステップＳ１７での判断結果がメモリ９に格納され（ステップＳ１９）、メモリ９に格納された内容（ステップＳ１８で格納された復帰が異常である旨の内容、ステップＳ１３で格納された蓄電池電圧）が集中管理装置２へ送信される（ステップＳ９）。
【００５１】
各誘導灯１から送信された信号が集中管理装置２で受信されると、その受信された信号の内容、例えば、蓄電池８を交換する時期になっているのはどの誘導灯１であるか、停電切替部１１や点灯回路１３等に異常が発生しているのはどの誘導灯１であるかが、集中管理装置２の表示部４に表示される。
【００５２】
このような構成において、この防災用照明システムにおいては、各誘導灯１に設けられている蓄電池８の交換時期がきたか否かを検査する場合には、集中管理装置２から各誘導灯１に対して検査用制御信号を送信する。この検査用制御信号が送信された各誘導灯１では、停電切替部１１が停電時と同じ状態に切り替えられ、蓄電池８からの通電によるランプ７の点灯と、その点灯時における蓄電池電圧の監視とが行われ、その結果が集中管理装置２に送信される。したがって、この防災用照明システムを管理する管理者は、個々の誘導灯１を見回ってその誘導灯１に設けられている切替スイッチを切替操作するという手間がかからず、各誘導灯１に設けられている蓄電池８が交換時期になったことの確認をスムーズに行える。
【００５３】
また、この防災用照明システムでは、停電切替部１１の切り替えを行った後、点灯状態を監視する機能を備えているので、停電切替部１１の切り替えが正常に行われているか否かの判断を行うことができる。このため、停電切替部１１の切り替えが不良であることによる障害、例えば、停電時に誘導灯１が点灯されない、蓄電池８の点検後に平常時通電状態に戻らずに蓄電池８からの通電が続行されて蓄電池８の劣化を早める等の障害の発生を防止できる。
【００５４】
さらに、この防災用照明システムでは、集中管理装置２から各誘導灯１に対して検査用制御信号を送信しない場合でも、予め設定された時刻になったとき、停電切替部１１が停電時と同じ状態に切り替えられ、蓄電池８からの通電によるランプ７の点灯、その点灯時における蓄電池電圧の監視、さらには、停電切替部１１の切り替えが正常に行われているか否かを検査することができ、防災用照明システムの保守、点検を良好に行える。
【００５５】
【発明の効果】
【００５６】
請求項１記載の発明の防災用照明灯によれば、外部に設けられた集中管理装置から検査用制御信号が送信されることにより、停電切替部が切替制御手段によりまず停電時と同じ状態に切り替えられ、所定時間経過後に平常時と同じ状態に切り替えられる。そして、点灯状態監視部で監視しているランプの点灯状態と、切替制御手段により制御された切り替え状態とが一致しているか否かが点灯状態判断手段により判断され、その判断結果が集中管理装置へ送信されるので、ランプの点灯状態の切り替えが正常に行われているか否かの確認を各防災用照明灯を一つずつ見回って歩くことなく容易に行うことができる。
【００５７】
請求項２記載の発明の防災用照明灯によれば、集中管理装置から検査用制御信号が送信されることにより、停電切替部が切替制御手段により、まず停電時と同じ状態に切り替えられ、所定時間経過後に平常時と同じ状態に切り替えられる。そして、停電時と同じ状態に切り替えられることによりランプに対して通電する蓄電池の電圧が蓄電池電圧監視部により監視され、監視された電圧が所定値以上であるか否かが蓄電池電圧判断手段により判断され、その判断結果が集中管理装置へ送信されるので、この防災用照明灯に使用されている蓄電池が交換する時期になったか否かの検査を各防災用照明灯を一つずつ見回って歩くことなく容易に行うことができる。また、集中管理装置から検査用制御信号が送信されることにより、停電切替部が切替制御手段によりまず停電時と同じ状態に切り替えられ、所定時間経過後に平常時と同じ状態に切り替えられる。そして、点灯状態監視部で監視しているランプの点灯状態と、切替制御手段により制御された切り替え状態とが一致しているか否かが点灯状態判断手段により判断され、その判断結果が集中管理装置へ送信されるので、ランプの点灯状態の切り替えが正常に行われているか否かの確認を各防災用照明灯を一つずつ見回って歩くことなく容易に行うことができる。
【００５９】
請求項３記載の発明の防災用照明システムによれば、請求項１又は２記載の防災用照明灯と、複数の防災用照明灯が接続された集中管理装置とからなり、集中管理装置には各防災用照明灯から送信された蓄電池電圧判断手段による判断結果又は点灯状態判断手段による判断結果を表示する表示部を有するので、集中管理装置の表示部を見ることにより、蓄電池を交替する時期がきたか否かの確認、及び、ランプの点灯状態の切り替えが正常に行われているか否かの確認を行うことができる。
【図面の簡単な説明】
【図１】本発明の一実施の形態の防災用照明システムの構成を示すブロック図である。
【図２】防災用照明灯である誘導灯の構成を示すブロック図である。
【図３】誘導灯の検査時の制御内容を示すフローチャートである。
【符号の説明】
１      防災用照明灯
２      集中管理装置
４      表示部
７      ランプ
８      蓄電池
１１      停電切替部
１２      蓄電池電圧監視部
１３      点灯回路部
１４      点灯状態監視部
１５      信号送受信部
１９      商用交流電源
ステップＳ１    時刻判断手段
ステップＳ３    切替制御手段
ステップＳ５    点灯状態判断手段
ステップＳ８    切替制御手段
ステップＳ１２  蓄電池電圧判断手段
ステップＳ１６  切替制御手段
ステップＳ１７  点灯状態判断手段
【図１】
0004284456.tif 000002
【図２】
0004284456.tif 000003
【図３】
0004284456.tif 000004